(57)【要約】【課題】  留守番電話機能を設定した状態で着信中に留守番電話機能を解除可能とする。【解決手段】  留守番電話機能を設定した状態で着信中に、留守番電話機能を解除する操作が行われたか否かを判定する。その結果、留守番電話機能を解除する操作が行われたと判定した場合、留守番電話機能による自動応答を行わないように制御する。そして、着信が終了した後は、留守番電話機能を設定した状態とする。【選択図】      図１２
2008278429.tif 000002
【特許請求の範囲】
【請求項１】
留守番電話機能を有する通信装置において、
前記留守番電話機能を設定した状態で着信中に、前記留守番電話機能を解除する操作が行われたか否かを判定する手段と、
前記留守番電話機能を解除する操作が行われたと判定した場合、前記留守番電話機能による自動応答を行わないように制御する手段とを有し、
前記着信が終了した後は、前記留守番電話機能を設定した状態とすることを特徴とする通信装置。
【請求項２】
無線により接続される複数の子機を備え、
前記留守番電話機能を解除する操作が子機で行われた場合、他の子機がその着信に応答可能であることを特徴とする請求項１記載の通信装置。
【請求項３】
前記通信装置は、プリンタ機能、スキャナ機能、ファクシミリ機能、留守番電話機能を有する複合機であることを特徴とする請求項１又は２記載の通信装置。
【請求項４】
留守番電話機能を有する通信装置の制御方法であって、
前記留守番電話機能を設定した状態で着信中に、前記留守番電話機能を解除する操作が行われたか否かを判定する工程と、
前記留守番電話機能を解除する操作が行われたと判定した場合、前記留守番電話機能による自動応答を行わないように制御する工程とを有し、
前記着信が終了した後は、前記留守番電話機能を設定した状態とすることを特徴とする通信装置の制御方法。
【請求項５】
請求項４記載の通信装置の制御方法をコンピュータに実行させるためのプログラム。
【請求項６】
請求項５記載のプログラムを記録したコンピュータにより読み取り可能な記録媒体。
【発明の詳細な説明】
【技術分野】
【０００１】
本発明は、留守番電話機能を有する通信装置及びその制御方法に関するものである。
【背景技術】
【０００２】
従来、留守番電話機能を有するコードレス電話装置では、留守番電話機能により、予め定められた回数分の着信（呼び出し信号）を検出すると、その着信に自動応答し、発呼者からの用件メッセージを録音する。そして、用件メッセージの録音中は、親機で録音中のメッセージを聞くことができるように構成されている。
【０００３】
即ち、親機では、留守番電話モード時に、相手側からの用件メッセージを内部のメモリ等に録音するように構成されているが、この時、録音中の用件メッセージを内部スピーカから音声で出力させることも可能である。
【０００４】
移動電話装置では、動作モードの設定を待ち受け時に行うため、通常モードで着信してから留守番電話モードに移行、或いは留守番電話モードで着信してから通常モードに移行して通話することはできず、不便であった。そこで、動作モードの切り替えを待ち受け時に限らず、随時行うことができるようにして、使い勝手を向上させた移動電話装置が提案されている。例えば、特許文献１参照。
【特許文献１】特開平11-068931号公報
【発明の開示】
【発明が解決しようとする課題】
【０００５】
しかしながら、上記従来例では、留守番電話機能が解除されている状態で着信があり、留守設定操作が行われると、発呼者からのメッセージを録音するのと同時に、メッセージを録音した後、留守番電話機能が設定状態になってしまう。つまり、再度留守番電話機能の解除操作をしないと初期状態に戻らないという問題があった。
【０００６】
更に、留守番電話機能が設定されている状態で着信があり、応答後、留守番電話機能の解除操作が行われると、自動応答しない状態になるが、これは録音中の通話応答と同じで自動応答前に解除操作を行うことができないという問題があった。
【０００７】
また、多くのコードレス留守番電話装置では、親機に留守番電話機能を有しているため、親機に接続された子機からは親機と同様に着信中の設定／解除の操作ができないという問題もあった。
【０００８】
本発明は、上記課題を解決するためになされたもので、留守番電話機能を設定した状態で着信中に留守番電話機能を解除可能とすることを目的とする。
【課題を解決するための手段】
【０００９】
本発明は、留守番電話機能を有する通信装置において、前記留守番電話機能を設定した状態で着信中に、前記留守番電話機能を解除する操作が行われたか否かを判定する手段と、前記留守番電話機能を解除する操作が行われたと判定した場合、前記留守番電話機能による自動応答を行わないように制御する手段とを有し、前記着信が終了した後は、前記留守番電話機能を設定した状態とすることを特徴とする。
【００１０】
また、本発明は、留守番電話機能を有する通信装置の制御方法であって、前記留守番電話機能を設定した状態で着信中に、前記留守番電話機能を解除する操作が行われたか否かを判定する工程と、前記留守番電話機能を解除する操作が行われたと判定した場合、前記留守番電話機能による自動応答を行わないように制御する工程とを有し、前記着信が終了した後は、前記留守番電話機能を設定した状態とすることを特徴とする。
【発明の効果】
【００１１】
本発明によれば、留守番電話機能を設定した状態で着信中に留守番電話機能を解除可能とすることで、装置の操作性及びユーザの利便性を向上させることができる。
【発明を実施するための最良の形態】
【００１２】
以下、図面を参照しながら発明を実施するための最良の形態について詳細に説明する。
【００１３】
本実施形態では、留守番電話機能を有する通信装置として、コードレス留守番電話付きファクシミリ装置（ＦＡＸ）を例に挙げて説明する。尚、本発明は、これだけに限らず、プリンタ機能、スキャナ機能、ファクシミリ機能、留守番電話機能を有する複合機に適用しても良い。
【００１４】
図１は、本実施形態におけるコードレス留守番電話付きファクシミリ装置（ＦＡＸ）の構成の一例を示す図である。図１において、１００はファクシミリ装置のコードレス電話付き親機（以下、親機）である。１１０、１２０、１３０はコードレス電話子機（以下、子機）である。
【００１５】
尚、親機１００に対して複数の子機が接続可能であり、図１に示す例では、他の子機として子機１２０及び１３０が増設され、結果として３台の子機を含む構成である。
【００１６】
図１に示すように、親機１００は、表示部１０１、操作部１０２、この操作部１０２に属している留守ボタン１０５、ハンドセット１０３及び親機アンテナ１０４を有し、有線回線１０６を介して公衆回線１０７に接続されている。親機アンテナ１０４は子機１１０〜１３０との無線通信に使用される。表示部１０１はカラーＬＣＤから構成されているが、モノクロＬＣＤで構成されていても良い。
【００１７】
親機１００は、本体の制御、回線制御、留守番電話制御、及び子機との無線制御などを行うユニットである。
【００１８】
一方、子機１１０〜１３０は、表示部１１１、操作部１１２、この操作部１１２に属している留守ボタン１１５、及び子機アンテナ１１３を有する。子機アンテナ１１３は親機１００との無線通信に使用される。
【００１９】
図２は、図１に示すコードレス電話付き親機の内部構成を示すブロック図である。図２に示すように、親機１００には、図１に示す表示部１０１、操作部１０２、ハンドセット１０３、親機アンテナ１０４、留守ボタン１０５に加え、ＣＰＵ２０１、ＲＯＭ２０２、ＲＡＭ２０３が含まれる。更に、通信制御部２０４、ＤＳＰ（ＭＯＤＥＭ／音声処理）部２０５、音源部２０６、クロスポイントスイッチ部２０７、無線部２０８、本体スピーカ２０９、本体マイク２１０が含まれる。また、ファクシミリ機能を実現するために、送信原稿の読み取りや受信原稿の記録を行う記録部２１１、読取部２１２、センサ部２１３が含まれる。そして、上述の各構成要素（以下、各部）はシステムバス２１４を介して相互に接続される。
【００２０】
ＣＰＵ２０１は、システムバス２１４を介して各部と信号やデータの授受を行い、入力した信号に応じてシステムバス２１４に接続された各部を制御する。即ち、ＣＰＵ２０１はＲＯＭ２０２に格納されたプログラムに従って、通話に伴う呼処理や回線各種サービス機能に伴う処理を実行する。そして、回線から入来するベル信号の回数検出を行い、規定回数になると回線を捕捉し、ＤＳＰ部２０５において留守番電話の固定メッセージを送出する。その後、発呼者からのメッセージをＤＳＰ部２０５が音声圧縮してＲＡＭ２０３に格納するように制御する。
【００２１】
ＲＯＭ２０２は、ＣＰＵ２０１の制御プログラムを格納している。この制御プログラムとしては、ＤＳＰ部２０５を制御して留守番電話やＦＡＸ送受信、ナンバーディスプレイの表示、音声信号の入出力を実現するためのプログラムなどである。
【００２２】
ＲＡＭ２０３は、ＣＰＵ２０１が呼処理を含む留守番電話処理を実行する際に使用するワークメモリである。ここには、ＲＯＭ２０２と異なり、一時的なデータが記憶される。また、ＲＡＭ２０３は、電池などでバックアップされる場合やデータの書き込み、消去が可能なＥＥＰＲＯＭ又はフラッシュＲＯＭで構成されても良く、アクセススピードや保存処理に応じて必要なデバイスが使い分けられている。
【００２３】
通信制御部２０４は、公衆回線１０７を収容するためのインターフェースであり、アナログ回線の場合、局交換機の電話回線（以後、加入者線と称す）に接続され、ダイオードによる全波整流回路により構成される。更に、極性一致回路、リンガー検出回路、フックスイッチ回路、トランス回路で構成される。ここで、極性一致回路は、回線電圧の極性を一致させるための回路で、リンガー検出回路は、局交換機からの呼出信号を検出する回路である。フックスイッチ回路は、オフフック操作が行われると、回線ループを形成すると共に、局に対してダイヤルパルスを送出する回路で、トランス回路は、２線−４線変換を行うための回路である。
【００２４】
尚、通信制御部２０４を半導体で構成することも可能である。また、本実施形態では、アナログ回線に接続されているが、デジタル回線又は光やＡＤＳＬなどのブロードバンド回線に接続されても良い。
【００２５】
ＤＳＰ２０５は、デジタル信号処理プロセッサであり、ＤＳＰとＡＦＥ（アナログフロントエンド）で構成される。機能的には、留守番電話で使用する音声処理部において音声圧縮機能、応答メッセージの送出機能、或いはメッセージ録音機能を有する。更に、Ｇ３ＦＡＸによるファクシミリの送受信を行うファクシミリモデムの機能も、ＣＰＵ２０１の制御により実現する。また、モデムデータ（ナンバーディスプレイデータ）の解析を行うナンバディスプレイ機能なども有する。
【００２６】
音源部２０６は、保留音や着信メロディーを生成する音源ＬＳＩで構成される。クロスポイントスイッチ部２０７は、ＣＰＵ２０１からの制御により各種音声信号の入出力切替を行う。留守番電話応答時には、応答メッセージがＤＳＰ部２０５から通信制御部２０４を介して有線回線１０６と本体スピーカ２０９へ送出されるようにＣＰＵ２０１によって制御される。また、メッセージの録音時には、有線回線１０６から入来する信号をＤＳＰ部２０５へ接続させて、本体スピーカ２０９から送出させるようにＣＰＵ２０１によって制御される。ここで、子機１１０が応答すれば、クロスポイントスイッチ部２０７は無線部２０８と通信制御部２０４とを接続するように入出力切替を行う。
【００２７】
このように、ＤＳＰ部２０５からの信号や、音源部２０６、ハンドセット１０３、本体スピーカ２０９、本体マイク２１０、無線部２０８などのアナログ入出力信号の通信制御部２０４への入出力切替を行う。接続される子機１１０の音声信号の送受信はこの部分で切り替えられ回線と接続し、外線通話を形成したり、ハンドセット１０３と接続して内線通話を形成したりする。接続処理がシンプルな場合は削除することも可能である。
【００２８】
本体スピーカ２０９及び本体マイク２１０は、それぞれ音声の出力及び入力を行うものであるが、ハンドセット１０３を用いずに通話を行う、所謂ハンズフリー機能を提供しても良い。
【００２９】
無線部２０８は、制御データと音声信号を変調し、無線送信可能な形式に変換して親機アンテナ１０４に送ると共に、親機アンテナ１０４より無線受信した情報より復調されたデータを取り出す。ここで、制御データはＣＰＵ２０１に出力し、復調された音声や変調前の音声などのアナログ信号はクロスポイントスイッチ部２０７と授受される。
【００３０】
また、無線部２０８は、子機１１０〜１３０と接続するために、モデム・コンパンダ、秘話・アンプ機能を有するベースバンド部を含む。ベースバンド部からの変調信号を無線送信可能な形式に変換して親機アンテナ１０４に送る。親機アンテナ１０４より無線受信した信号より変調信号を取り出しベースバンド部に出力する。
【００３１】
ここで、子機１１０と通話するには、通信制御部２０１が着信を検出し、無線部２０８に対して受信信号を起動し、無線部２０８が着信データ信号を無線に信号に変調して子機１１０へ送出する。その信号を子機１１０で応答することにより通信制御部２０４で着信した呼を接続し、クロスポイントスイッチ部２０７を介して無線部２０８を接続し、無線通話を形成する。また、親機１００の状態を子機１１０へ知らせる場合、ＣＰＵ２０１が留守番電話状態やメッセージ録音がされたかなどの判断を行い、その情報を無線部２０８介して子機１１０に送信する。また、子機１１０にて親機１００の留守番電話を起動する場合は、その情報を無線部２０８で受け、データを復調し、ＣＰＵ２０１が解析し、その状態に合わせて制御を行う。
【００３２】
更に、ＣＰＵ２０１は、ＲＯＭ２０２のプログラムに従って親機１００／子機１１０が無線通信中であるか否かの無線通信状態の監視、及び留守番電話の設定状態監視、などを行う。尚、他の子機１２０又は１３０との間の制御も、上述の子機１１０との間の制御と同様である。
【００３３】
また、ＣＰＵ２０１は、記録部２１１、読取部２１２、原稿の検出などを行うセンサ部２１３の処理も行う。
【００３４】
表示部１０１は、留守番電話のメッセージ録音情報や、時刻の表示、通信中の回線状態、及びエラーなどの状態を表示する。また、表示部１０１は、キー入力などを行う操作部１０２からキー入力された文字メッセージや受信した文字メッセージも表示する。更に、親機１００の各種サービス機能の設定内容も表示する。ここで留守番電話やＦＡＸの受信があることをＬＣＤやＬＥＤでユーザに知らせるようにもしている。
【００３５】
操作部１０２は、ダイヤル番号やＵＲＬなどを、０〜９、＊、＃などのキーを利用してアルファベットや記号などを入力するためのダイヤルキーを含む。更に、ファクシミリの送受信を制御する送信、受信キー、回線のオン／オフを行うオフフックキー、機能設定を行うためのセレクトキーなどのキーも含む。また、留守ボタン１０５も操作部１０２内に含まれ、親機１００の留守設定や解除、着信中の留守設定や解除などに使用される。
【００３６】
図３は、図１に示すコードレス電話子機の内部構成を示すブロック図である。尚、子機１１０〜１３０の内部構成はそれぞれ同じであるため、ここでは子機１１０を例に挙げて説明する。図３に示すように、子機１１０には、図１に示す表示部１１１、操作部１１２、子機アンテナ１１３、留守ボタン１１５に加え、ＣＰＵ３０１、ＲＯＭ３０２、ＲＡＭ３０３が含まれる。更に、ベースバンド部３０４、無線部３０５、スピーカ３０６、レシーバ３０７、マイク３０８、電源部３０９が含まれる。
【００３７】
ＣＰＵ３０１は、子機１１０全体の制御を行う。具体的には、操作部１１２からのキー操作処理、表示処理、親機１００との無線制御、変復調制御、ＡＤ変換や音声処理などが含まれる。ＲＯＭ３０２は、ＣＰＵ３０１の制御プログラムが格納されたメモリである。ＲＡＭ３０３は、ＣＰＵ３０１が制御を実行時に使用するワークエリアやリアルタイムに書き換える情報及び保存を有しないデータを一時的に記憶するエリアが定義されたメモリである。更に、親機１００の留守番電話状態などを管理するテーブルも含まれる。
【００３８】
また、ＲＡＭ３０３は、留守番電話装置としての呼出符号（システムＩＤ）、子機番号などを記憶するＥＥＰＲＯＭ又は電話帳データを記憶するためのフラッシュＲＯＭで構成されても良く、アクセススピードや保存の必要性により使い分けられている。
【００３９】
操作部１１２には、ダイヤル番号を入力するダイヤルキー、通話キー、切るキー、保留キー、スピーカキー、電話帳キーなどの機能キーが含まれる。更に、留守ボタン１１５も操作部１１２に付随しているが、親機１００の留守番電話機能を制御するための操作キーとしてに機能する。この留守ボタン１１５はＬＥＤで状態を示すことも可能であり、留守設定時は点灯し、メッセージが録音されたら点滅、留守解除時は消灯している。そして、充電台に載っているときは上述のように動作するが、充電をされていない状態では点灯、点滅動作を行わず、バッテリの消費を低減させるように動作する。
【００４０】
表示部１１１は、ＬＣＤ、ＬＥＤなどで構成され、操作メニューや電話帳の表示、時間や着信を知らせる表示、操作部１１２より入力されるダイヤル番号や公衆回線の使用状況、電波状況などを表示する。更に、親機１００の状態を示すために留守番電話の設定状態をＬＣＤに表示させることも可能である。
【００４１】
ベースバンド部３０４は、モデム・コンパンダ、秘話・アンプ機能を有し、制御データや音声信号の送受信を可能とする。また、子機１１０がデジタルコードレスの場合、アナログからデジタルへの変換や音声圧縮機能も有する。無線部３０５は、変復調された信号処理を行う。電源部３０９は、充電可能な２次電池で構成される。
【００４２】
上述の構成において、子機１１０の無線部３０５が親機１００から送信された親機状態情報を、アンテナ１１３を介して受信する。ここで  ベースバンド部３０４は受信情報を復調し、ＣＰＵ３０１が解析可能なデータにする。そして、受信したデータにおいて留守番電話の状態を知る。更に、子機１１０の留守ボタン１１５の押下により留守設定状態にさせる場合、留守設定データをＣＰＵ３０１の処理で無線部３０５を介して親機１００に送信し、親機１００がそのデータを解析して状態を変える。
【００４３】
次に、以上の構成を有する親機１００及び子機１１０〜１３０における留守番電話処理を、図４〜図９を用いて説明する。この留守番電話処理は、親機１００のＣＰＵ２０１が上述の各状態を監視することにより確認すべき内容を確認し、それに合わせて行われる。また、親機１００側で設定された場合と子機１１０〜１３０側で設定された場合の制御についても説明する。
【００４４】
図４は、本実施形態における留守番電話機能の各状態への遷移を示す図である。図４において、４０１は状態１であり、留守番電話機能が解除されている状態で、メッセージも録音されていない状態である。４０２は着信中であり、状態１で着信があり、親機１００の本体スピーカ２０９と子機１１０〜１３０の各スピーカ３０６から着信音を鳴動させている状態である。尚、着信音を親機１００及び子機１１０〜１３０の何れで鳴動させるかは、予めシステム設定として親機１００及び子機１１０〜１３０で個別に設定されているものとする。
【００４５】
４０３は通話中であり、着信に対して親機１００のハンドセット１０３か、子機１１０〜１３０の通話ボタンにより着信応答があると、クロスポイントスイッチ部２０７を制御して通話路（無線部２０８も含む）を形成している状態である。４０４は状態３であり、状態１で親機１００の留守ボタン１０５か、子機１１０〜１３０の留守ボタン１１５により留守番電話機能が設定され、メッセージは録音されていない状態である。４０５は留守番電話応答中であり、状態３又は後述する状態４で着信があると、その着信に対して自動応答し、相手から送られてくるメッセージを録音している状態である。
【００４６】
４０６は状態４であり、留守番電話機能が設定され、既にメッセージも録音されている状態である。４０７はメッセージ再生で、親機１００の留守ボタン１０５か子機１１０〜１３０の留守ボタン１１５の何れかが押下された場合に、録音されたメッセージの再生を行う。４０８は状態２であり、状態１で着信中に親機１００の留守ボタン１０５か、子機１１０〜１３０の留守ボタン１１５の何れかが押下された際の状態である。４０９は留守番電話応答中であり、着信中に親機１００の留守ボタン１０５か、子機１１０〜１３０の留守ボタン１１５の何れかが押下された場合に、その着信に対して留守番電話機能を起動させた状態である。
【００４７】
次に、上述した留守番電話機能の状態１〜４における処理を、図５〜図９を用いて説明する。まず、留守番電話機能の状態１における処理を、図５を用いて説明する。
【００４８】
図５は、留守番電話機能の状態１における処理手順を示すフローチャートである。まず、ステップＳ５０１で、通信制御部２０４が公衆回線１０７からの着信を監視し、着信を検出するとステップＳ５０２へ処理を進める。このステップＳ５０２では、親機１００の留守ボタン１０５か、子機１１０〜１３０の留守ボタン１１５の何れかが押下されたかを判定する。ここで、何れかの留守ボタンが押下された場合にはステップＳ５０３へ処理を進め、詳細は図９を用いて説明する留守番電話応答処理を実行し、状態２へ遷移する。
【００４９】
また、ステップＳ５０２で、留守ボタンが押下されなければステップＳ５０４へ処理を進め、親機１００のハンドセット１０３か、子機１１０〜１３０の通話ボタンにより着信応答が行われたかを判定する。ここで、着信応答が行われた場合にはステップＳ５０５へ処理を進め、親機１００であればハンドセット１０３との通話路を形成し、子機１１０〜１３０の何れかであれば、無線部２０８を介して子機との通話路を形成する、通常の通話処理を実行する。また、着信応答が行われなければステップＳ５０１に戻る。
【００５０】
一方、上述のステップＳ５０１で、着信がない（スタンバイ）状態で親機１００の留守ボタン１０５か、子機１１０〜１３０の留守ボタン１１５の何れかが押下されたかを判定する。ここで、何れの留守ボタンも押下されなければ、ステップＳ５０１に戻り、上述の判定処理を繰り返す。また、留守ボタンの何れかが押下された場合にはステップＳ５０７へ処理を進め、留守番電話設定処理を行い、状態３へ遷移する。この留守番電話設定処理は、親機１００のＲＡＭ２０３で管理される留守番電話機能のテーブルを設定状態とする処理である。
【００５１】
次に、留守番電話機能の状態２における処理を、図６を用いて説明する。図６は、留守番電話機能の状態２における処理手順を示すフローチャートである。
【００５２】
まず、ステップＳ６０１で、親機１００の留守ボタン１０５か、子機１１０〜１３０の留守ボタン１１５の何れかが押下されたかを判定する。ここで、何れの留守ボタンも押下されなければステップＳ６０２へ処理を進め、着信があるかを判定する。ここで、着信がなければステップＳ６０１に戻るが、着信があればステップＳ６０３へ処理を進め、詳細は図９を用いて説明する留守番電話応答処理を実行し、ステップＳ６０１に戻る。
【００５３】
一方、上述のステップＳ６０１で、留守ボタンの何れかが押下された場合にはステップＳ６０４へ処理を進める。このステップＳ６０４では、留守番電話応答処理で録音されたメッセージを再生するメッセージ再生処理を実行し、状態１へ遷移する。
【００５４】
次に、留守番電話機能の状態３における処理を、図７を用いて説明する。図７は、留守番電話機能の状態３における処理手順を示すフローチャートである。
【００５５】
まず、ステップＳ７０１で、親機１００の留守ボタン１０５か、子機１１０〜１３０の留守ボタン１１５の何れかが押下されたかを判定する。ここで、何れの留守ボタンも押下されなければステップＳ７０２へ処理を進め、着信があるかを判定する。ここで、着信がなければステップＳ７０１に戻るが、着信があればステップＳ７０３へ処理を進め、詳細は図９を用いて説明する留守番電話応答処理を実行し、状態４へ遷移する。
【００５６】
一方、上述のステップＳ７０１で、留守ボタンの何れかが押下された場合にはステップＳ７０４へ処理を進める。このステップＳ７０４では、留守番電話機能が設定状態であるため、留守番電話解除処理を行い、状態１へ遷移する。この留守番電話解除処理は、親機１００のＲＡＭ２０３で管理される留守番電話機能のテーブルを設定解除状態とする処理である。
【００５７】
次に、留守番電話機能の状態４における処理を、図８を用いて説明する。図８は、留守番電話機能の状態４における処理手順を示すフローチャートである。
【００５８】
まず、ステップＳ８０１で、親機１００の留守ボタン１０５か、子機１１０〜１３０の留守ボタン１１５の何れかが押下されたかを判定する。ここで、何れの留守ボタンも押下されなければステップＳ８０２へ処理を進め、着信があるかを判定する。ここで、着信がなければステップＳ８０１に戻るが、着信があればステップＳ８０３へ処理を進め、詳細は図９を用いて説明する留守番電話応答処理を実行し、ステップＳ８０１に戻る。
【００５９】
一方、上述のステップＳ８０１で、留守ボタンの何れかが押下された場合にはステップＳ８０４へ処理を進める。このステップＳ８０４では、留守番電話機能が設定状態であるため、留守番電話解除処理を行う。そして、ステップＳ８０５では、留守番電話応答処理で録音されたメッセージを再生するメッセージ再生処理を実行し、状態１へ遷移する。
【００６０】
ここで、上述した状態１〜４で実行される留守番電話応答処理の詳細を、図９を用いて説明する。
【００６１】
図９は、本実施形態における留守番電話応答処理を示すフローチャートである。まず、ステップＳ９０１で、通信制御部２０４が極性を反転させ、その着信に応答する。次に、ステップＳ９０２で、予め録音されている留守番電話応答メッセージを送出する。そして、ステップＳ９０３で、相手から送られてくる音声をデジタル信号に変換し、メッセージとしてＲＡＭ２０３に録音する。ここまでの処理は、通常の留守番電話応答処理と共通の処理である。
【００６２】
次に、ステップＳ９０４で、留守番電話機能の状態が状態１か否かを判定し、状態１でなければ、この処理を終了する。ここで、状態が状態１の場合はステップＳ９０５へ処理を進め、留守ボタンが親機１００で押下されたのか否かを判定する。ここで、親機１００で押下された場合には、この処理を終了する。また、子機１１０〜１３０の何れかで留守ボタン１１５が押下された場合にはステップＳ９０６へ処理を進め、メッセージ録音終了通知を留守ボタン１１５が押下された子機へ送信し、この処理を終了する。
【００６３】
次に、上述した状態１で外線から着信があった際に、子機１１０の留守ボタン１１５が押下された場合の親機１００と子機１１０の処理を、図１０を用いて説明する。
【００６４】
図１０は、本実施形態における状態１で着信中に、子機の留守ボタンが押下された場合の処理を示す図である。まず、ステップＳ１０１において、留守番電話機能の状態が状態１で親機１００の通信制御部２０４が着信を検出すると、親機１００、子機１１０、子機１２０を外線鳴動中に制御する。具体的には、回線より呼び出し信号が来ている状態で、外線ベルオン情報に合わせて外線着信要求を無線部２０８へ送出し、ＡＣＫを受信する。これにより、無線部２０８は無線接続された子機１１０、１２０へ外線リング要求を送出する。その後、外線ベルオフ情報も外線ベルオン情報と同様に無線接続された子機１１０、１２０へ送出する。これを繰り返して着信鳴動をさせる。
【００６５】
この状態１で着信中に、ステップＳ１０２において、子機１１０の留守ボタン１１５が押下されると、子機１１０から無線部２０８へ留守設定要求が送出される。これにより、無線部２０８は留守設定応答を子機１１０へ返信し、子機１１０から留守設定実行を受信する。次に、無線部２０８は留守設定要求としてコマンドを通信制御部２０４へ送出する。ここで、通信制御部２０４が無線部２０８から留守設定要求を受信すると、ステップＳ１０３において、着信中の子機応答か、留守応答かを判定する。この場合、子機１１０による着信中に留守番電話機能の起動と判定し、着信自動応答を行い、着信鳴動を停止するように制御する。そして、ステップＳ１０４において、上述したように、留守番電話応答処理を行う。尚、メッセージを録音後、子機１１０へ録音完了を通知する処理は、図１１を用いて更に後述する。
【００６６】
また、ステップＳ１０３での処理と同時に、無線部２０８は無線接続された子機１１０、１２０をアイドル状態に移行させ、通信完了通知を通信制御部２０４に送信する。これにより、ステップＳ１０５で無線は切断され、子機１１０、１２０は待ち受け状態に移行する。
【００６７】
次に、状態１で着信中に子機１１０が留守ボタン１１５を押下し、メッセージを録音後の親機１００及び子機１１０の処理を、図１１を用いて説明する。
【００６８】
図１１は、図１０に示す留守番電話応答処理を開始した後の処理を示す図である。まず、ステップＳ２０１において、メッセージの録音を開始し、ステップＳ２０２において、子機１１０、１２０は待ち受け状態となる。その後、ステップＳ２０３において、メッセージの録音が終了すると、通信制御部２０４は無線部２０８に録音終了通知を送出する。これにより、無線部２０８が留守ボタン１１５を押下した子機１１０に対して、指定着信起動を行う。
【００６９】
一方、この指定着信起動を受けた子機１１０は接続要求確認を無線部２０８へ送信し、接続実行を受信すると、接続実行確認を送信する。これにより、無線部２０８は接続状態に移行する上で通信制御部２０８に対して通信完了通知を送出し、ステップＳ２０４で、子機１１０とのみ無線接続状態となる。
【００７０】
次に、無線部２０８は子機１１０に向けて指定着信録音完了通知を送出し、子機１１０がこの通知を受信すると、ステップＳ２０５で、録音が完了したことをユーザに通知する。具体的には、表示部１１１にメッセージを録音した旨を表示、或いは留守ボタン１１５のＬＥＤを点滅させるなどにより通知する。そして、無線部２０８は録音完了通知後に、スタンバイ移行するように指示し、通信制御部２０４に対して終了要求、通信完了通知を送出する。
【００７１】
これにより、ステップＳ２０６において、通信制御部２０４は無線切断後、親機、子機１１０、１２０とも留守番電話機能の状態２へ遷移する。
【００７２】
本実施形態によれば、子機の留守ボタンで留守番電話機能を起動でき、親機から離れているときも、電話に出られないときも、居留守機能でメッセージを録音することができ、迷惑電話回避も含めた効果が得られる。
【００７３】
また、メッセージの録音終了を通知することで、ユーザが録音終了を確実に知ることができ、無駄な操作を行うことなく録音されたメッセージを確認することが可能となる。
【００７４】
更に、留守番電話機能の各状態で１つの留守ボタンを様々な操作に対応させることで、ユーザは面倒な操作を行う必要がなく、操作性を向上させることができる。
【００７５】
［他の実施形態］
次に、図面を参照しながら本発明に係る他の実施形態を詳細に説明する。他の実施形態では、上述した留守番電話機能の状態３又は４で着信自動応答する前に留守ボタンが押下された場合の処理を説明する。
【００７６】
尚、他の実施形態においても、留守番電話機能を有する通信装置として、図１〜図３に示すコードレス留守番電話付きファクシミリ装置（ＦＡＸ）を例に挙げて説明する。
【００７７】
図１２は、他の実施形態における留守番電話機能の各状態への遷移を示す図である。尚、図１２に示す１２０１〜１２０９は図４に示す４０１〜４０９の各状態に対応するものである。また、状態１及び状態２は上述した実施形態と同様であるため、ここでは、状態３及び状態４の処理についてのみ説明する。
【００７８】
図１２に示すように、他の実施形態では、留守番電話機能の状態３又は状態４で着信中に留守ボタンが押下された場合、留守番電話応答を行わず、解除状態とする。
【００７９】
図１３は、他の実施形態における状態３の処理手順を示すフローチャートである。まず、ステップＳ１３０１で、親機１００の留守ボタン１０５か、子機１１０〜１３０の留守ボタン１１５の何れかが押下されたかを判定する。ここで、何れの留守ボタンも押下されなければステップＳ１３０２へ処理を進め、着信があるかを判定する。ここで、着信がなければステップＳ１３０１に戻るが、着信があればステップＳ１３０３へ処理を進める。このステップＳ１３０３では、着信に対して予め設定されている自動応答するまでの時間内に、親機１００の留守ボタン１０５か、子機１１０〜１３０の留守ボタン１１５の何れかが押下されたかを判定する。ここで、何れの留守ボタンも押下されなければステップＳ１３０４へ処理を進め、図９に示す留守番電話応答処理を実行し、状態４へ遷移する。また、留守ボタンの何れかが押下された場合はステップＳ１３０５へ処理を進め、詳細は図１５を用いて説明する不応答処理を実行する。
【００８０】
一方、上述のステップＳ１３０１で、留守ボタンの何れかが押下された場合はステップＳ１３０６へ処理を進める。このステップＳ１３０６では、留守番電話機能が設定状態であるため、留守番電話解除処理を行い、状態１へ遷移する。この留守番電話解除処理は、親機１００のＲＡＭ２０３で管理される留守番電話機能のテーブルを設定解除状態とする処理である。
【００８１】
図１４は、他の実施形態における状態４の処理手順を示すフローチャートである。まず、ステップＳ１４０１で、親機１００の留守ボタン１０５か、子機１１０〜１３０の留守ボタン１１５の何れかが押下されたかを判定する。ここで、何れの留守ボタンも押下されなければステップＳ１４０２へ処理を進め、着信があるかを判定する。ここで、着信がなければステップＳ１４０１に戻るが、着信があればステップＳ１４０３へ処理を進める。このステップＳ１４０３では、着信に対して予め設定されている自動応答するまでの時間内に、親機１００の留守ボタン１０５か、子機１１０〜１３０の留守ボタン１１５の何れかが押下されたかを判定する。ここで、何れの留守ボタンも押下されなければステップＳ１４０４へ処理を進め、図９に示す留守番電話応答処理を実行し、ステップＳ１４０１に戻る。また、留守ボタンの何れかが押下された場合はステップＳ１４０５へ処理を進め、詳細は図１５を用いて説明する不応答処理を実行し、ステップＳ１４０１に戻る。
【００８２】
一方、上述のステップＳ１４０１で、留守ボタンの何れかが押下された場合はステップＳ１４０６へ処理を進める。このステップＳ１４０６では、留守番電話機能が設定状態であるため、留守番電話解除処理を行う。そして、ステップＳ１４０７では、留守番電話応答処理で録音されたメッセージを再生するメッセージ再生処理を実行し、状態１へ遷移する。
【００８３】
ここで、上述した状態３及び状態４で実行される不応答処理の詳細を、図１５を用いて説明する。
【００８４】
図１５は、他の実施形態における不応答処理を示すフローチャートである。まず、ステップＳ１５０１で、留守番電話機能の状態を変化させずに、この着信のみ解除状態として動作する。これにより、状態３又は状態４のまま着信中に留守ボタンが押下された場合にのみ留守番電話応答を解除できる。次に、ステップＳ１５０２で、回線捕捉を行わずに、ステップＳ１５０３で、着信中のまま、継続状態とする。尚、この状態では、留守ボタンを押下した子機以外の子機がこの着信に応答しても良い。
【００８５】
他の実施形態によれば、ナンバーディスプレーなどの機能を併用することにより、番号非通知などは留守番電話応答処理を行わず、メッセージを残させないような迷惑電話対策にも、応用することができる。
【００８６】
また、ステップＳ１５０３で、着信中に他の子機から応答可能となり、発呼者に対する配慮も含めて柔軟な着信応答が可能となる。
【００８７】
更に、メッセージの録音を停止させることで、メモリの消費を抑えることもできる。
【００８８】
尚、着信中に子機１１０、１２０から留守設定を受け付けないようにする場合、例えば留守設定を解除させないようにする場合、ステップＳ１０２で、留守ボタン１１５が押下されても応答しないようにすることで実現できる。
【００８９】
また、親機の留守設定状態を子機が分からない場合や状態ズレが発生した時など、子機１１０からは留守設定要求を送出するが、ステップＳ１０３で留守設定要求に対して拒否し、解除動作をさせないことも可能である。これを組み合わせることにより、それぞれの状態に合わせた対応が可能となる。
【００９０】
また、無線方式は、アナログ、デジタルとあるが、親機と子機の状態を常に一致させるためにはデジタル方式が適している。これは、スタンバイ中でも親機、子機間はバースト的ではあるが、無線通信を行い双方の状態が無線接続できる状態か否かを監視できるため本発明に適している。しかし、アナログ方式でも不可能ということはない。
【００９１】
アナログの場合、親機もしくは子機から無線接続起動をかけないと電波の届く範囲かが分からないため状態一致をさせるのにデメリットとなる。
【００９２】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００９３】
また、前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行する。これによっても、本発明の目的が達成されることは言うまでもない。
【００９４】
この場合、記録媒体から読出されたプログラムコード自体が前述した実施形態の機能を実現することになり、そのプログラムコードを記憶した記録媒体は本発明を構成することになる。
【００９５】
このプログラムコードを供給するための記録媒体として、例えばフレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００９６】
また、コンピュータが読出したプログラムコードを実行することにより、前述した実施形態の機能が実現されるだけでなく、次の場合も含まれることは言うまでもない。即ち、プログラムコードの指示に基づき、コンピュータ上で稼働しているＯＳ（オペレーティングシステム）などが実際の処理の一部又は全部を行い、その処理により前述した実施形態の機能が実現される場合である。
【００９７】
更に、記録媒体から読出されたプログラムコードがコンピュータに挿入された機能拡張ボードやコンピュータに接続された機能拡張ユニットに備わるメモリに書込む。その後、そのプログラムコードの指示に基づき、その機能拡張ボードや機能拡張ユニットに備わるＣＰＵなどが実際の処理の一部又は全部を行い、その処理により前述した実施形態の機能が実現される場合も含まれることは言うまでもない。
【図面の簡単な説明】
【００９８】
【図１】本実施形態におけるコードレス留守番電話付きファクシミリ装置（ＦＡＸ）の構成の一例を示す図である。
【図２】図１に示すコードレス電話付き親機の内部構成を示すブロック図である。
【図３】図１に示すコードレス電話子機の内部構成を示すブロック図である。
【図４】本実施形態における留守番電話機能の各状態への遷移を示す図である。
【図５】留守番電話機能の状態１における処理手順を示すフローチャートである。
【図６】留守番電話機能の状態２における処理手順を示すフローチャートである。
【図７】留守番電話機能の状態３における処理手順を示すフローチャートである。
【図８】留守番電話機能の状態４における処理手順を示すフローチャートである。
【図９】本実施形態における留守番電話応答処理を示すフローチャートである。
【図１０】本実施形態における状態１で着信中に、子機の留守ボタンが押下された場合の処理を示す図である。
【図１１】図１０に示す留守番電話応答処理を開始した後の処理を示す図である。
【図１２】他の実施形態における留守番電話機能の各状態への遷移を示す図である。
【図１３】他の実施形態における状態３の処理手順を示すフローチャートである。
【図１４】他の実施形態における状態４の処理手順を示すフローチャートである。
【図１５】他の実施形態における不応答処理を示すフローチャートである。
【符号の説明】
【００９９】
１００  ファクシミリ装置のコードレス電話付き親機
１０１  表示部
１０２  操作部
１０３  ハンドセット
１０４  親機アンテナ
１０５  留守ボタン
１０６  有線回線
１０７  公衆回線
１１０  コードレス電話子機
１１１  表示部
１１２  操作部
１１３  子機アンテナ
１１５  留守ボタン
１２０  コードレス電話子機
１３０  コードレス電話子機
２０１  ＣＰＵ
２０２  ＲＯＭ
２０３  ＲＡＭ
２０４  通信制御部
２０５  ＤＳＰ（ＭＯＤＥＭ／音声処理）部
２０６  音源部
２０７  クロスポイントスイッチ部
２０８  無線部
２０９  本体スピーカ
２１０  本体マイク
２１１  記録部
２１２  読取部
２１３  センサ部
３０１  ＣＰＵ
３０２  ＲＯＭ
３０３  ＲＡＭ
３０４  ベースバンド部
３０５  無線部
３０６  スピーカ
３０７  レシーバ
３０８  マイク
３０９  電源部
【図１】
2008278429.tif 000003
【図２】
2008278429.tif 000004
【図３】
2008278429.tif 000005
【図４】
2008278429.tif 000006
【図５】
2008278429.tif 000007
【図６】
2008278429.tif 000008
【図７】
2008278429.tif 000009
【図８】
2008278429.tif 000010
【図９】
2008278429.tif 000011
【図１０】
2008278429.tif 000012
【図１１】
2008278429.tif 000013
【図１２】
2008278429.tif 000014
【図１３】
2008278429.tif 000015
【図１４】
2008278429.tif 000016
【図１５】
2008278429.tif 000017